(57)【要約】
【課題】スティック状のＵＳＢメモリーカードをメモリーカードリーダライタ装置へ取付けることを可能とし、装着後は運搬を容易にするためにメモリーカードリーダライタ装置からＵＳＢメモリーが突出しないよう一体化させたメモリーカードリーダライタ装置を提供する。
【解決手段】ＵＳＢプラグ２を備えた筐体１−２にＳＤの挿入口３−１、コンパクトフラッシュ（登録商標）の挿入口３−２、ｍｉｎｉＳＤの挿入口３−３及びＭＳ−Ｄｕｏの挿入口３−４を設け、かつ筐体１−２の右側上部にスティック状のＵＳＢメモリー６がほぼ入る凹部７を設け、その背面に内部にＵＳＢインターフェイスを設けたＵＳＢメモリー６の挿入口５を設ける。
【選択図】図２
0003100895.tif 000002
【実用新案登録請求の範囲】
【請求項１】
メモリーカード挿入口を備え、パソコン等のホスト機器とＵＳＢインターフェイスにて接続されるメモリーカードリーダライタ装置であって、スティック状のＵＳＢメモリーの挿入口を設けると共に、その挿入口に装着したＵＳＢメモリーが前記メモリーカードライタ装置の外形枠内にほぼ収まるように凹部を形成したことを特徴とするメモリーカードリーダライタ装置。
【請求項２】
メモリーカード挿入口を備え、パソコン等のホスト機器とＵＳＢインターフェイスにて接続されるメモリーカードリーダライタ装置であって、セキュアデジタル、ミニセキュアデジタル、メモリースティックデュオ等のミニ・メモリーカード用のコネクタを基板の上下面に配置し、前記基板の下面に配置するコネクタを、該コネクタにメモリーカードが挿入されたときに、その端面が上部のコネクタに挿入されたメモリーカードの端面より前方に突出するように取付けたことを特徴とするメモリーカードリーダライタ装置。
【請求項３】
メモリーカード挿入口を備え、パソコン等のホスト機器とＵＳＢインターフェイスにて接続されるメモリーカードリーダライタ装置であって、光通信用赤外線発光受光素子を筐体に設け、前記メモリーカード挿入口にメモリーカードが取り付けられた際に、その端面が前記赤外線発光受光各素子の中心位置より１５度に入る範囲内に入り込まないように構成したことを特徴とする赤外線機能付きメモリーカードリーダライタ装置。
【請求項４】
インターフェイスにイーサーネットやＩＥＥＥ１３９４等を設けて、外部装置としてリードライタを可能としたことを特徴とする請求項２又は請求項３記載のメモリーカードリーダライタ装置。
【考案の詳細な説明】
【技術分野】
【０００１】
本考案は、メモリーカード挿入口を備えたメモリーカードリーダライタ装置に関するものである。
【背景技術】
【０００２】
近年、コンパクトフラッシュ（登録商標）やスマートメディア、セキュアデジタル、メモリースティック等のメモリーカードがデジタルカメラや携帯電話などの機器用として多く使用されている。
【０００３】
そして、携帯電話に搭載されたメガピクセルデジタルカメラの大容量データを処理するために、セキュアデジタル（以下ＳＤとする）、ミニセキュアデジタル（以下ｍｉｎｉＳＤとする）、メモリースティックデュオ（以下ＭＳ−Ｄｕｏとする）等の従来のメモリーカードよりも外形の小さなメモリーが使用され始めて来ている。
【０００４】
また、パソコンからのデータを持ち運ぶ媒体としては、前記メモリーカードも使用されてきているが、より使いやすくするためにＵＳＢインターフェイスと一体化されたスティック状のＵＳＢメモリーがある。 ＵＳＢメモリーはパソコンのＵＳＢインターフェイスに挿入し接続すればＵＳＢメモリー内のデータに容易にリードライトすることができる。
【０００５】
一方、携帯電話にはパソコンなどで編集した携帯電話の電話番号やスケジュールを携帯電話に容易に転送するために赤外線通信機能が搭載されて来ている。
【０００６】
このように、パソコン等の機器とデータ処理を容易に行うための色々な記録媒体や赤外線を利用した通信機器が市場に投入されてきており、メモリーカードリーダライタ装置としては、それらに対応可能なメモリーカードリーダライタ装置が必要となって来ている。
【０００７】
そのため、これら色々なメモリーカード、ＵＳＢメモリー、赤外線通信装置に対応し使用する上で次のような問題が発生してきた。
【０００８】
パソコンのＵＳＢインターフェイスは筐体背面にある場合が多く、ＵＳＢメモリーを取付け難い問題がある。市場にあるメモリカードリーダライタ装置はパソコン周辺に自在に設置できるが、ＵＳＢインターフェイスが無いのでＵＳＢメモリーを取付けることはできない。
【０００９】
図１に示されるように、メモリーカードリーダライタ装置にＵＳＢハブ機能を持たせることによってＵＳＢメモリー６を取り付けることが出来るが、ＵＳＢメモリー６がメモリーカードリーダライタ装置より突出してしまい、これらを取り付けたままの状態での持ち運びに問題が発生した。
【００１０】
携帯電話に使用されているＳＤ、ｍｉｎｉＳＤ、ＭＳ−Ｄｕｏは小さいため、大きな外形のメモリーカードと混在する場合、配置によっては大きなメモリーカードに隠れてしまい着脱に問題が発生した。
【００１１】
また、赤外線通信装置とメモリカードリーダライタ装置を併設した場合、メモリカードと赤外線通信装置の発光受光素子を近接させると赤外線送受信に支障が発生したため、赤外線通信を行う上で問題とならない配置が必要となった。
【特許文献１】登録実用新案第３０７９６６７号公報
【特許文献２】登録実用新案第３０８９１４５号公報
【考案の開示】
【考案が解決しようとする課題】
【００１２】
そこで、本考案は（１）スティック状のＵＳＢメモリーカードをメモリーカードリーダライタ装置へ取付けることを可能とし、装着後は運搬を容易にするためにメモリーカードリーダライタ装置からＵＳＢメモリーが突出しないよう一体化させたメモリーカードリーダライタ装置を、（２）携帯電話に使用されている外形が小型なメモリーカードのＳＤ、ｍｉｎｉＳＤやＭＳ−Ｄｕｏが基板上下面に配置された際に配置を工夫し、着脱を容易にしたメモリーカードリードライタ装置を、（３）メモリーカードリードライタ装置と赤外線通信装置用の赤外線発光受光素子の配置を工夫し、赤外線の送受信信号に支障の無いようにしたメモリーカードリードライタ装置を、（４）上記の工夫された装置に色々なインターフェイスを取り付けて外部装置として用いることができるメモリーカードリードライタ装置を提供することを課題とするものである。
【課題を解決するための手段】
【００１３】
本考案は、上記の課題を解決するためになされたもので、第１の考案はメモリーカード挿入口を備え、パソコン等のホスト機器とＵＳＢインターフェイスにて接続されるメモリーカードリーダライタ装置であって、スティック状のＵＳＢメモリーの挿入口を設けると共に、その挿入口に装着したＵＳＢメモリーが前記メモリーカードライタ装置の外形枠内にほぼ収まるように凹部を形成したことを特徴とするメモリーカードリーダライタ装置である。
【００１４】
第２の考案は、メモリーカード挿入口を備え、パソコン等のホスト機器とＵＳＢインターフェイスにて接続されるメモリーカードリーダライタ装置であって、セキュアデジタル（ＳＤ）、ミニセキュアデジタル（ｍｉｎｉＳＤ）、メモリースティックデュオ（ＭＳ−Ｄｕｏ）等のミニ・メモリーカード用のコネクタを基板の上下面に配置し、前記基板の下面に配置するコネクタを、該コネクタにメモリーカードが挿入されたときに、その端面が上部のコネクタに挿入されたメモリーカードの端面より前方に突出するように取付けたことを特徴とするメモリーカードリーダライタ装置である。
【００１５】
第３の考案は、メモリーカード挿入口を備え、パソコン等のホスト機器とＵＳＢインターフェイスにて接続されるメモリーカードリーダライタ装置であって、光通信用赤外線発光受光素子を筐体に設け、前記メモリーカード挿入口にメモリーカードが取り付けられた際に、その端面が前記赤外線発光受光各素子の中心位置より１５度に入る範囲内に入り込まないように構成したことを特徴とするメモリーカードリーダライタ装置である。
【００１６】
第４の考案は、前記第２又は第３の考案において、インターフェイスにイーサーネットやＩＥＥＥ１３９４等を設けて、外部装置としてリードライタを可能としたことをを特徴とするメモリーカードリーダライタ装置である。
【実施例１】
【００１７】
図２は、第１の考案の実施例を示すもので、筐体１−２にＳＤの挿入口３−１、コンパクトフラッシュ（登録商標）の挿入口３−２、ｍｉｎｉＳＤの挿入口３−３及びＭＳ−Ｄｕｏの挿入口３−４を設け、かつ筐体１−２の右側上部にスティック状のＵＳＢメモリー６がほぼ入る凹部７を設け、その背面に内部にＵＳＢインターフェイスを設けたＵＳＢメモリー６の挿入口５を設けたものである。尚、図中２はＵＳＢプラグである。
【００１８】
以上のように、図２に示す実施例によると、挿入口５にＵＳＢメモリー６を挿入すると内蔵されたインターフェイスに接続されると共に、ＵＳＢメモリー６は凹部７内に収まってしまうので、運搬時にＵＳＢメモリーにストレスがかかることを防ぐことができる。
【実施例２】
【００１９】
図３は、第２の考案の実施例を示すもので、図４は要部の縦断側面図である。
【００２０】
この実施例では、基板８上面にｍｉｎｉＳＤ用コネクタ９とＭＳ−Ｄｕｏ用コネクタ１０を設け、これらのコネクタに挿入されたｍｉｎｉＳＤｌｌとＭＳ−Ｄｕｏ１２の端面が、ｍｉｎｉＳＤｌｌの端面位置１３に対してＭＳ−Ｄｕｏ１２の端面位置が外側に突出するようにコネクタ１０を基板８に配置されている。
【００２１】
このように基板８の上下面にコネクタを配置する場合、下側のコネクタに挿入したメモリーカードは摘み難いものであると共に、下側のコネクタに挿入したメモリーカードの存在が目視できず支障を来すことがあるが、この実施例のように構成するとユーザーは目視ができるため、メモリーカードが小さくても容易に着脱することができる。
【００２２】
例えば、図５のｍｉｎｉＳＤ用コネクタ９の位置にメモリーカードであるコンパクトフラッシュ（登録商標）が設けられ、図５に示されているメモリーカードの端面位置１３が逆であると、コンパクトフラッシュ（登録商標）にＭＳ−Ｄｕｏが隠されてしまい、ＭＳ−Ｄｕｏが着脱しにくい問題が発生する。
【００２３】
コンパクトフラッシュ（登録商標）やスマートメディアなとの大きなメモリーカードであるならば横幅もあるため多少下側が見えなくても幅方向で見ることができるので、注意して配置する必要はなかったが、ｍｉｎｉＳＤやＭＳ−Ｄｕｏなとの小さなメモリーカードのは注意を必要とする。
【００２４】
以上のように、策２の考案はＳＤ、ｍｉｎｉＳＤ、ＭＳ−Ｄｕｏのこれら３つのメモリーカードを基板に下面に配置した際に、下側のメモリーカードの端面位置を摘まみ易いようにコネクタ位置を配置し、容易に着脱できるようにしたものである。
【実施例３】
【００２５】
図５及び図６は第３の考案の実施例を示すもので、図５は斜視図、図６は要部構造を示す拡大横断平面図である。
【００２６】
この実施例では、基板８上面に、赤外締発光受光素子４が取付けられ、その横にはｍｉｎｉＳＤ用コネクタ９と挿入されたｍｉｎｉＳＤｌｌが配置されている。赤外線は障害物があると透過しないため、赤外線発光受光素子４の各々の素子からプラスマイナス１５度の範囲にｍｉｎｉＳＤ１０の外形が接触しないように配置されている。なお、１４は受光窓である。
【００２７】
図７は同じく第３の考案の実施例を示すもので、赤外線発光受光素子４の下側にＭＳ−Ｄｕｏ用コネクタ１０とＭＳ−Ｄｕｏ１２を配置した場合で、この場合も赤外線発光受光素子４の各々の素子のプラスマイナス１５度の範囲にＭＳ−Ｄｕｏ１２は接触しないように配置されている。
【００２８】
図６及び図７の実施例に示したように、赤外線発光受光素子４のプラスマイナス１５度の範囲に挿入時のメモリーカードが接触しないようにメモリーカードのコネクタ位置を設定すると、通常の使用に置いては良好な赤外線通信を行うことができる。
【００２９】
第３の考案の説明ではＭＳ−Ｄｕｏを用いて説明したが、別のメモリーカード等の場合でも同様である。
【００３０】
上記第２又は第３の考案において、イーサーネットやＩＥＥＥ１３９４インターフェイスを搭載することにより外部装置として使用することができる。
【図面の簡単な説明】
【００３１】
【図１】最初に考案した実施例の斜視図。
【図２】本考案の第１の実施例の斜視図。
【図３】本考案の第２の実施例の斜視図。
【図４】本考案の第２の実施例の要部構造を示す拡大縦断側面図。
【図５】本考案の第３の実施例の斜視図。
【図６】本考案の第３の実施例の要部構造を示す拡大横断側面図。
【図７】本考案の第３の実施例の要部構造を示す拡大縦断面図。
【符号の説明】
【００３２】
１―１，１−２，１−３，１−４      筐体
２                                  ＵＳＢインターフェイス
３−１，３−２，３−３，３−４      挿入口
４                                  赤外線発光素子
５                                  挿入口
６                                  ＵＳＢメモリー
７                                  凹部
８                                  基板
９，１０                            コネクタ
１１                                ｍｉｎｉＳＤ
１２                                ＭＳ−Ｄｕｏ
１３                                端面
１４                                受光窓
【図１】
0003100895.tif 000003
【図２】
0003100895.tif 000004
【図３】
0003100895.tif 000005
【図４】
0003100895.tif 000006
【図５】
0003100895.tif 000007
【図６】
0003100895.tif 000008
【図７】
0003100895.tif 000009